(57)【要約】【課題】光源の交換作業を簡単にしかも画像の品質を確保する上で有利なプロジェクタユニットを提供する。【解決手段】ロック機構６０は、係合ピン６４と係合爪６６とスプリング６８とで構成されている。係合ピン６４はハウジング部分３２に設けられている。係合爪６６はその延在方向の中間の軸受け部６６０２が支軸７０により光源部用ハウジング３０に揺動可能に支持されている。係合爪６６に、光源部用ハウジング３０の合わせ面３０Ａとハウジング部分３２の合わせ面３２Ａとが合わされた状態で係合ピン６４に係合可能な係合溝７４が設けられている。スプリング６８は、中間分割体３０Ｙの背面３０１４の箇所と連結片６６０２とにわたり掛け渡されている。【選択図】図５
2007003627.tif 000002
【特許請求の範囲】
【請求項１】
光源部と、
前記光源部から出射された光束から画像投影光束を生成して出射する本体部とを有し、
前記光源部は光源部用ハウジングを備え、
前記光源部用ハウジングは、前記本体部を構成する本体部用ハウジングとは別個に設けられ、
前記光源部用ハウジングと前記本体部用ハウジングとは、それらの合わせ部が合わされて結合されるプロジェクタユニットであって、
前記光源部用ハウジングの合わせ部を前記本体部用ハウジングの合わせ部に近づけた際にそれら合わせ部を合わせ、かつ、それら合わせ部が合わされた状態を保持するロック状態を形成するロック機構が設けられ、
前記ロック状態を解除する解除用操作部が設けられている、
ことを特徴とするプロジェクタユニット。
【請求項２】
前記ロック機構は、前記光源部用ハウジングまたは前記本体部用ハウジングの一方に設けられた係合ピンと、前記光源部用ハウジングまたは前記本体部用ハウジングの他方に揺動可能に設けられ前記係合ピンに係合可能な係合爪と、前記光源部用ハウジングまたは前記本体部用ハウジングの他方に設けられ前記係合爪が前記係合ピンに係合した状態を維持する揺動方向に付勢するスプリングとで構成されていることを特徴とする請求項１記載のプロジェクタユニット。
【請求項３】
前記ロック機構は、前記本体部用ハウジングに設けられた係合ピンと、前記光源部用ハウジングに揺動可能に設けられ前記係合ピンに係合可能な係合爪と、前記光源部用ハウジングに設けられ前記係合爪が前記係合ピンに係合した状態を維持する揺動方向に付勢するスプリングとで構成されていることを特徴とする請求項１記載のプロジェクタユニット。
【請求項４】
前記光源部用ハウジングは、前記光源部から出射された光束の光軸と直交する方向において互いに対向する２つの側面を有し、前記係合爪は前記２つの側面にそれぞれ設けられ、前記係合ピンは前記係合爪に対応して前記本体部用ハウジングに２つ設けられていることを特徴とする請求項３記載のプロジェクタユニット。
【請求項５】
前記光源部用ハウジングは、前記合わせ部と対向する箇所に位置する背面と、前記光源部から出射された光束の光軸と直交する方向において互いに対向する２つの側面を有し、前記係合爪は前記２つの側面にそれぞれ設けられ、前記係合爪は前記合わせ部が合わされる方向に延在しその延在方向の中間部が前記側面に揺動可能に支持され、前記係合爪の延在方向の一端寄りの箇所に、前記光源部用ハウジングの合わせ部と前記本体部用ハウジングの合わせ部とが合わされる際に前記係合ピンに係合可能な係合溝が設けられ、前記２つの係合爪はそれぞれ前記背面側に延在し前記背面上を延在する連結片で連結されていることを特徴とする請求項３記載のプロジェクタユニット。
【請求項６】
前記光源部用ハウジングは、前記合わせ部と対向する箇所に位置する背面と、前記光源部から出射された光束の光軸と直交する方向において互いに対向する２つの側面を有し、前記係合爪は前記２つの側面にそれぞれ設けられ、前記係合爪は前記合わせ部が合わされる方向に延在しその延在方向の中間部が前記側面に揺動可能に支持され、前記係合爪の延在方向の一端寄りの箇所に、前記光源部用ハウジングの合わせ部と前記本体部用ハウジングの合わせ部とが合わされる際に前記係合ピンに係合可能な係合溝が設けられ、前記２つの係合爪はそれぞれ前記背面側に延在し前記背面上を延在する連結片で連結され、前記スプリングは、前記背面と前記連結片とにわたり掛け渡されていることを特徴とする請求項３記載のプロジェクタユニット。
【請求項７】
前記光源部用ハウジングは、前記合わせ部と対向する箇所に位置する背面と、前記光源部から出射された光束の光軸と直交する方向において互いに対向する２つの側面を有し、前記係合爪は前記２つの側面にそれぞれ設けられ、前記係合爪は前記合わせ部が合わされる方向に延在しその延在方向の中間部が前記側面に揺動可能に支持され、前記係合爪の延在方向の一端寄りの箇所に、前記光源部用ハウジングの合わせ部と前記本体部用ハウジングの合わせ部とが合わされる際に前記係合ピンに係合可能な係合溝が設けられ、前記２つの係合爪はそれぞれ前記背面側に延在し前記背面上を延在する連結片で連結され、前記スプリングは、前記背面と前記連結片とにわたり掛け渡され、前記解除用操作部は前記連結片に連結されたつまみで構成されていることを特徴とする請求項３記載のプロジェクタユニット。
【請求項８】
前記つまみは、指を掛けられるようにループ状に形成されていることを特徴とする請求項７記載のプロジェクタユニット。
【請求項９】
前記係合爪は前記合わせ部が合わされる方向に延在しその延在方向の中間部が前記光源部用ハウジングまたは前記本体部用ハウジングの他方に揺動可能に支持され、前記係合爪はストッパを有し、前記係合爪は前記スプリングにより付勢されてストッパが前記光源部用ハウジングまたは前記本体部用ハウジングに当接することで初期揺動位置に位置し、前記係合爪の延在方向の一端寄りの箇所に、前記光源部用ハウジングの合わせ部と前記本体部用ハウジングの合わせ部とが合わされる際に前記係合ピンに係合可能な係合溝が設けられ、前記係合爪の延在方向の一端に、前記光源部用ハウジングの合わせ部と前記本体部用ハウジングの合わせ部とが近づいた際に前記係合ピンに接触し、前記係合爪を前記初期揺動位置から前記係合ピンと前記係合溝とが係合される方向に揺動させる傾斜案内部が設けられていることを特徴とする請求項２記載のプロジェクタユニット。
【請求項１０】
前記係合爪は前記合わせ部が合わされる方向に延在しその延在方向の中間部が前記光源部用ハウジングまたは前記本体部用ハウジングの他方に揺動可能に支持され、前記係合爪の延在方向の一端寄りの箇所に、前記光源部用ハウジングの合わせ部と前記本体部用ハウジングの合わせ部とが合わされる際に前記係合ピンに係合可能な係合溝が設けられ、前記スプリングは、前記係合ピンに前記係合溝が係合した状態を維持する揺動方向に前記係止爪を付勢するように設けられ、前記係合溝には、前記スプリングにより付勢された係止爪の揺動により前記係合ピンを前記光源部用ハウジングまたは前記本体部用ハウジングの他方に引き付け前記光源部用ハウジングの合わせ部と前記本体部用ハウジングの合わせ部とが合わされた状態を維持する方向に付勢する傾斜縁が形成されていることを特徴とする請求項２記載のプロジェクタユニット。
【請求項１１】
前記光源部用ハウジングの合わせ部または前記本体部用ハウジングの合わせ部の一方に位置決めピンと位置決め面が設けられ、前記光源部用ハウジングの合わせ部または前記本体部用ハウジングの合わせ部の他方に前記位置決めピンが挿入される位置決め孔と前記位置決め面に当接可能な位置決め面が設けられ、双方の合わせ部が合わされた際に、前記位置決めピンが前記位置決め孔に挿入され、かつ、前記双方の位置決め面が当接されることを特徴とする請求項１記載のプロジェクタユニット。
【請求項１２】
前記ロック機構は、前記光源部用ハウジングまたは前記本体部用ハウジングの一方に設けられた係合ピンと、前記光源部用ハウジングまたは前記本体部用ハウジングの他方に揺動可能に設けられた前記係合ピンに係合可能な係合爪と、前記光源部用ハウジングまたは前記本体部用ハウジングの他方に設けられ前記係合爪が前記係合ピンに係合した状態を維持する揺動方向に付勢するスプリングとで構成され、
前記光源部用ハウジングの合わせ部または前記本体部用ハウジングの合わせ部の一方に位置決めピンと位置決め面が設けられ、前記光源部用ハウジングの合わせ部または前記本体部用ハウジングの合わせ部の他方に前記位置決めピンが挿入される位置決め孔と前記位置決め面に当接可能な位置決め面が設けられ、双方の合わせ部が合わされた際に、前記位置決めピンが前記位置決め孔に挿入され、かつ、前記双方の位置決め面が当接され、
前記係合爪に、前記光源部用ハウジングの合わせ部と前記本体部用ハウジングの合わせ部とが合わされる際に前記係合ピンに係合可能な係合溝が設けられ、
前記係合溝は、前記位置決めピンが前記位置決め孔に挿入され、かつ、前記光源部用ハウジングの位置決め面と前記本体部用ハウジングの位置決め面が近接した状態で前記係合ピンに係合するように構成され、
前記係合溝は、前記光源部用ハウジングの位置決め面と前記本体部用ハウジングの位置決め面が近接した状態で前記係合ピンに係合し前記スプリングにより付勢された係止爪の揺動により前記係合ピンを引き付け前記双方の位置決め面を合わせかつ合わせた状態を維持する方向に付勢する傾斜縁が形成されていることを特徴とする請求項１記載のプロジェクタユニット。
【請求項１３】
前記本体部は、
前記光源部から出射された光束を平行光とする照明光学部と、
前記照明光学部の平行光を波長が異なる複数の光束に分離する分離部と、
前記複数の光束を画像情報に基づいて変調し合成して画像投影光束を生成する画像形成部と、
前記画像投影光束を前記スクリーンに投影するための投射部とを含み、
前記光源部用ハウジングは、前記照明光学部を構成する照明光学部用ハウジングに対して着脱可能に構成されていることを特徴とする請求項１記載のプロジェクタユニット。
【請求項１４】
前記画像形成部は、透過型液晶装置あるいは反射型液晶装置で構成されていることを特徴とする請求項１３記載のプロジェクタユニット。
【請求項１５】
プロジェクタユニットから出射された画像投影光束を反射面により反射してスクリーンの背面に照射するプロジェクションテレビジョン装置であって、
前記プロジェクタユニットは、
光源を含む光源部と、
前記光源部から出射された光束から画像投影光束を生成して出射する本体部とを有し、
前記光源部は前記光源を支持する光源部用ハウジングを備え、
前記光源部用ハウジングは、前記本体部を構成する本体部用ハウジングに対して着脱可能に構成され、
前記光源部用ハウジングの合わせ部を前記本体部用ハウジングの合わせ部に近づけた際にそれら合わせ部を合わせ、かつ、それら合わせ部が合わされた状態を保持するロック状態を形成するロック機構が設けられ、
前記ロック状態を解除する解除用操作部が設けられている、
ことを特徴とするプロジェクションテレビジョン装置。
【発明の詳細な説明】
【技術分野】
【０００１】
本発明はプロジェクタユニットおよびそのプロジェクタユニットを用いたプロジェクションテレビジョン装置に関する。
【背景技術】
【０００２】
背面投影型スクリーンの背面へ光束を投影して画像を形成するプロジェクションテレビジョン装置（リアプロジェクションテレビジョン装置）がある。
このようなプロジェクションテレビジョン装置として、光源を含む光源部と、前記光源部から出射された光束から画像投影光束を生成して出射する本体部とを有するプロジェクタユニットが用いられている。
前記本体部は、例えば、前記光源部から出射された光束を平行光とする照明光学部と、前記照明光学部の平行光を波長が異なる複数の光束に分離する分離部と、前記複数の光束を画像情報に基づいて変調し合成して画像投影光束を生成する画像形成部と、前記画像投影光束を前記スクリーンに投影するための投射部とを含んでいる。
ところで、前記光源部の光源（例えば高圧ランプ）には寿命があるため、前記光源部を、本体部を構成するハウジング部分に対して着脱可能に構成することが多い。
例えば、光源部が高圧ランプおよびその高圧ランプを保持する光源部用ハウジングを備えている場合、光源部用ハウジングに挿通した複数のねじを、本体部側のハウジング部分に螺合することで光源部を本体部に着脱可能に取り付けるようにしている（特許文献１参照）。
【特許文献１】特開２００１−２０９１２０号公報
【発明の開示】
【発明が解決しようとする課題】
【０００３】
しかしながら、前記従来技術では、光源部を交換する際に、フレーム内の狭い箇所において複数のねじの取り付けと取り外しを行わなくてはならず、交換作業が繁雑で手間のかかるものとなっていた。
また、光源部を本体部に位置決めして合わせた後、複数のねじを確実に締め付ける必要があり、ねじに緩みがある場合には、光源部の光軸と照明光学部の光軸とがずれてしまい、スクリーンに投射される画像の品質が劣化する不具合がある。
本発明は、このような事情に鑑みなされたもので、その目的は光源の交換作業を簡単にしかも画像の品質を確保する上で有利なプロジェクタユニットおよびプロジェクションテレビジョン装置を提供することにある。
【課題を解決するための手段】
【０００４】
上記目的を達成するために、本発明は、光源部と、前記光源部から出射された光束から画像投影光束を生成して出射する本体部とを有し、前記光源部は光源部用ハウジングを備え、前記光源部用ハウジングは、前記本体部を構成する本体部用ハウジングとは別個に設けられ、前記光源部用ハウジングと前記本体部用ハウジングとは、それらの合わせ部が合わされて結合されるプロジェクタユニットであって、前記光源部用ハウジングの合わせ部を前記本体部用ハウジングの合わせ部に近づけた際にそれら合わせ部を合わせ、かつ、それら合わせ部が合わされた状態を保持するロック状態を形成するロック機構が設けられ、前記ロック状態を解除する解除用操作部が設けられていることを特徴とする。
また、本発明は、プロジェクタユニットから出射された画像投影光束を反射面により反射してスクリーンの背面に照射するプロジェクションテレビジョン装置であって、前記プロジェクタユニットは、光源を含む光源部と、前記光源部から出射された光束から画像投影光束を生成して出射する本体部とを有し、前記光源部は前記光源を支持する光源部用ハウジングを備え、前記光源部用ハウジングは、前記本体部を構成する本体部用ハウジングに対して着脱可能に構成され、前記光源部用ハウジングの合わせ部を前記本体部用ハウジングの合わせ部に近づけた際にそれら合わせ部を合わせ、かつ、それら合わせ部が合わされた状態を保持するロック状態を形成するロック機構が設けられ、前記ロック状態を解除する解除用操作部が設けられていることを特徴とする。
【発明の効果】
【０００５】
本発明によれば、光源部用ハウジングの合わせ部をハウジング部分の合わせ部に向け押し込むことで、ロック機構によって光源部用ハウジングの合わせ部とハウジング部分の合わせ部とが位置決めされ合わされた状態に保持されたロック状態が自動的に形成される。
また、解除用操作部を操作することで、光源部の取り外しが簡単になされる。
したがって、光源部の交換が簡単になされ、プロジェクタユニットおよびプロジェクションテレビジョン装置の使い勝手を向上する上で有利となる。
また、ロック機構によって、光源部用ハウジングの合わせ部とハウジング部分の合わせ部とが位置決めされ合わされたロック状態が形成されるため、スクリーンに投射される画像の品質を維持する上で有利となる。
【発明を実施するための最良の形態】
【０００６】
以下、本発明によるプロジェクタユニットおよびプロジェクションテレビジョン装置の実施の形態を図面に基づいて詳細に説明する。
図１（Ａ）は実施の形態のプロジェクタユニットが搭載されたプロジェクションテレビジョン装置１００の正面図、（Ｂ）は側面図である。
図２はプロジェクションテレビジョン装置１００の分解斜視図である。
図３はプロジェクションテレビジョン装置１００の電装部の構成を示すブロック図である。
【０００７】
まず、プロジェクションテレビジョン装置１００の構成について説明する。
図１（Ａ）、（Ｂ）に示すように、プロジェクションテレビジョン装置１００はフレーム２００を備え、このフレーム２００にプロジェクタユニット１０と、反射ミラー８０と、背面投影型のスクリーン９０とが設けられている。
プロジェクタユニット１０は、画像投影光束を出射するものである。
反射ミラー８０は反射面８００２を有し、プロジェクタユニット１０の上方かつ背面投影型のスクリーン９０の後方に配置され、反射面８００２によってプロジェクタユニット１０から出射された画像投影光束をスクリーン９０の背面に向けて反射するものである。
スクリーン９０は、反射ミラー８０によって反射された画像投影光束が背面に投射されることで前面にテレビジョン画像が表示されるものである。
スクリーン９０は、例えば、映像源側に配置されるフレネルレンズと、このフレネルレンズの後段に配置されるレンチキュラースクリーンによって構成される。また、これに加えて外光によるコントラスト劣化の減少、および、レンチキュラースクリーンの保護を目的とする別のスクリーンを設置してもよい。
【０００８】
図２に示すように、フレーム２００は、プロジェクタユニット１０を保持するボトムキャビネット２０２と、ボトムキャビネット２０２の上部に設けられた矩形枠状のスクリーン取り付け部２０４と、ボトムキャビネット２０２の上部でスクリーン取り付け部２０４の後方に設けられた逆台形状の反射ミラー取り付け部２０６などを備えている。
スクリーン９０は、上下左右の取り付け部材９００２およびねじを介してスクリーン取り付け部２０４に取着され、取り付け部材９００２およびスクリーン９０の周囲の箇所を覆うように枠状の化粧板９００４がスクリーン取り付け部２０４に取り付けられる。
また、スクリーン取り付け部２０４の下方のフレーム２００の前面部分は、ボトムキャビネット２０２の前面部分２０２Ａが位置しており、この前面部分２０２Ａを覆うように化粧板２１０が枠状の化粧板９００４の下部に取着される。
反射ミラー８０は、上下左右の取り付け部材８００３およびねじを介して反射ミラー取り付け部２０６に取着され、取り付け部材８００３および反射ミラー８０を覆うように後部上カバー８００４がフレーム２００に取着される。
プロジェクタユニット１０はボトムキャビネット２０２の前面部分２０２Ａの後方に配置され、プロジェクタユニット１０などを覆うように後部下カバー８００６がフレーム２００に取着される。
なお、図１（Ａ）において符号１０８は左右のスピーカーである。
【０００９】
図４はプロジェクタユニット１０の光学系の構成を示す説明図である。
図５はプロジェクタユニット１０の斜視図、図６はプロジェクタユニット１０の平面図、図７はプロジェクタユニット１０の正面図である。
図８、図９は光源部１２の斜視図、図１０は光源部１２の正面図である。
図１１は光源部１２の前分割体３０Ｘの斜視図、図１２は光源部１２の中間分割体３０Ｙの斜視図、図１３は光源部１２の後分割体３０Ｚの斜視図である。
図１４は本体部１４のハウジング部分３２を示す斜視図、図１５は係合爪６６の斜視図、図１６は解除用操作部材６２の斜視図である。
図１７乃至図２０は光源部１２を本体部１４に装着する場合の説明図である。
【００１０】
図５乃至図７に示すように、プロジェクタユニット１０は、光源を含む光源部１２と、光源部１２から出射された光束から画像投影光束を生成して出射する本体部１４とを有し、さらに、本体部１４を冷却するためのダクト１５を備え、ダクト１５は、下部ダクト１５Ａ、上部ダクト１５Ｂを含み、冷却風を後述する画像形成部２０に循環させ、冷却するように構成されている。
本体部１４は、図４に示すように、光源部１２から出射された光束を平行光とする照明光学部１６と、照明光学部１６の平行光を波長が異なる複数の光束に分離する分離部１８と、複数の光束を画像情報に基づいて変調し合成して画像投影光束を生成する画像形成部２０と、前記画像投影光束をスクリーン９０に投影するための投射部２２とを含んでいる。
【００１１】
図４に示すように、光源部１２は、白色光を出射する光源（ウルトラハイプレッシャーランプ）１２０２を備えている。
照明光学部１６は、光源１２０２の前方に直線状に配置されたＵＶ−ＩＲカットフィルター１６５０、第１フライアイレンズ１６５２、第２フライアイレンズ１６５４、ＰＳコンバータ１６５６、コンデンサレンズ１６５８などを含んで構成され、光源１２０２からの白色光がこれらを通過し、平行光となって分離部１８に入射されるように構成されている。
分離部１８は、照明光学部１６から導かれた光束（白色光）を赤色（Ｒ）、緑色（Ｇ）、青色（Ｂ）の３色の光束に分離するものである。
本実施の形態では、分離部１８は、第１、第２のダイクロイックミラー１８０２、１８０４、第１乃至第３のミラー１８０６、１８０８、１８１０で構成されている。
第１のダイクロイックミラー１８０２は、照明光学部１６から導かれた光束のうち、赤色（Ｒ）および緑色（Ｇ）の光束を透過し、かつ、青色（Ｂ）の光束を反射するように構成されている。
第２のダイクロイックミラー１８０４は、第１のダイクロイックミラー１８０２を透過した赤色（Ｒ）および緑色（Ｇ）の光束のうち、赤色（Ｒ）の光束を透過し、かつ、緑色（Ｇ）の光束を反射するように構成されている。
したがって、照明光学部１６から第１のダイクロイックミラー１８０２に導かれた光束は、第１のダイクロイックミラー１８０２により、青色（Ｂ）の光束と、赤色（Ｒ）および緑色（Ｇ）の光束との２つの光束に分離される。
第１のダイクロイックミラー１８０２で分離された青色（Ｂ）の光束は第１のミラー１８０６によって反射される。
第１のダイクロイックミラー１８０２で分離された赤色（Ｒ）および緑色（Ｇ）の光束のうち、緑色（Ｇ）の光束は第２のダイクロイックミラー１８０４によって反射される。
第１のダイクロイックミラー１８０２で分離された赤色（Ｒ）および緑色（Ｇ）の光束のうち、赤色（Ｒ）の光束は第２のダイクロイックミラー１８０４を透過し第２のミラー１８０８を介して第３のミラー１８１０に到りこの第３のミラー１８１０で反射される。
このようにして分離部１８で分離された赤色（Ｒ）、緑色（Ｇ）、青色（Ｂ）の光束が分離部１８から画像形成部２０に向けてそれぞれ出射される。
【００１２】
画像形成部２０は、赤色（Ｒ）、緑色（Ｇ）、青色（Ｂ）の３色の画像情報をそれぞれ表示する３つの透過型の液晶表示装置（液晶パネル）２００２（２００２Ｒ、２００２Ｇ、２００２Ｂ）と、各液晶表示装置２００２で反射され３色の画像情報で変調された光束を合成して１つの画像投影光束を生成するクロスダイクロイックプリズム２００４を有している。
これら３つの液晶表示装置２００２Ｒ、２００２Ｇ、２００２Ｂと、クロスダイクロイックプリズム２００４は一体的に結合されている。
３つの液晶表示装置２００２Ｒ、２００２Ｇ、２００２Ｂは、画像が表示される表示面が形成され、前記画像を表示面に表示させるための画像信号（駆動信号）や電源が供給される。
分離部１８から画像形成部２０に出射された青色（Ｂ）の光束は、青色の液晶表示装置２００２Ｂに照射されこの青色の液晶表示装置２００２Ｂを透過することで前記画像情報に基づいて変調された後、クロスダイクロイックプリズム２００４に導かれる。
分離部１８から画像形成部２０に出射された緑色（Ｇ）の光束は、緑色の液晶表示装置２００２Ｇに照射されこの緑色の液晶表示装置２００２Ｇを透過することで前記画像情報に基づいて変調された後、クロスダイクロイックプリズム２００４導かれる。
分離部１８から画像形成部２０に出射された赤色（Ｒ）の光束は、赤色の液晶表示装置２００２Ｒに照射されこの赤色の液晶表示装置２００２Ｒを透過することで前記画像情報に基づいて変調された後、クロスダイクロイックプリズム２００４に導かれる。
クロスダイクロイックプリズム２００４に導かれた３色の光束は、クロスダイクロイックプリズム２００４によって１つの画像投影光束として合成され、投射部２２に出射される。
【００１３】
投射部２２は、入射レンズ２２０２、反射ミラー２２０４、投射レンズ２２０６を備えている。
入射レンズ２２０２は、画像形成部２０のクロスダイクロイックプリズム２００４から導かれる前記画像投影光束が入射されるものである。
反射ミラー２２０４は、その反射面が入射レンズ２２０２の光軸に対して上方に傾斜するように配置されている。
投射レンズ２２０６は、その光軸が前記反射面に対して傾斜するように反射ミラー２２０４の上方に配置されている。
したがって、クロスダイクロイックプリズム２００４から導かれる前記画像投影光束は、入射レンズ２２０２を介して前記反射面で上方に屈曲され、図１（Ｂ）に示すように、投射レンズ２２０６を介して反射ミラー８０に照射され、反射ミラー８０によってスクリーン９０の背面に投射され結像されることによりスクリーン９０の前面にカラー画像が形成される。
【００１４】
プロジェクションテレビジョン装置１００の電装部について説明する。
図３に示すように、プロジェクションテレビジョン装置１００は、受信回路１０２、画像信号処理回路１０４、音声信号処理回路１０６、スピーカー１０８、制御回路１１０、操作スイッチ１１２などを備え、上述した液晶表示装置２００２Ｒ、２００２Ｇ、２００２Ｂを含んで構成されている。
受信回路１０２は、制御回路１１０からの指令に基づいて選局を行い、アンテナから受信したテレビジョン信号を復調して画像信号と音声信号に分離して出力する。
画像信号処理回路１０４は、前記画像信号に対して必要な信号処理を行い、赤（Ｒ）、緑（Ｇ）、青（Ｂ）の３色の画像情報を生成し、これら各画像情報に対応する画像信号（駆動信号）を３つの液晶表示装置２００２Ｒ、２００２Ｇ、２００２Ｂにそれぞれ供給する。
音声信号処理回路１０６は、前記音声信号に対して必要な信号処理および増幅処理を行なってオーディオ信号を生成しスピーカー１０８に供給する。これによりスピーカー１０８から音声が発生される。
操作スイッチ１１２は、プロジェクションテレビジョン装置１００による放送の視聴にまつわる種々の操作や設定を行うためのものであり、例えば、選局スイッチ、音量調整スイッチ、入力切り換えスイッチなどを含んでいる。
制御回路１０８は、操作スイッチ１１２の操作に基づいて、受信回路１０２、画像信号処理回路１０４、音声信号処理回路１０６の制御を行う。
また、図示しないが、ＤＶＤプレーヤーやビデオデッキなどの外部装置から供給される画像信号および音声信号を入力するための外部入力端子と、これら外部入力端子に供給された画像信号および音声信号を画像信号処理回路１０４および音声信号処理回路１０６に切り換えて入力する入力切り換え回路が設けられている。
操作スイッチ１１２の操作により前記外部入力端子に供給される画像信号および音声信号が前記入力切り換え回路を介して画像信号処理回路１０４および音声信号処理回路１０６に供給されるようになっている。
【００１５】
図８乃至図１０に示すように、光源部１２は光源１２０２を支持する断面が矩形枠状の光源部用ハウジング３０を備えている。
光源部用ハウジング３０には、光源１２０２がその光束を合わせ部３０Ａ方向に向けて照射するように保持され、また、光源１２０２の前方に臨ませて光束を平行光とする凹レンズが保持されている。
光源部用ハウジング３０は、図５乃至図７に示すように、本体部１４を構成する本体部用ハウジング、より詳細には、本体部１４を構成するハウジング部分３２に対して着脱可能に構成されている。
光源部用ハウジング３０は、ハウジング部分３２の合わせ部３２Ａに着脱可能に結合される合わせ部３０Ａを有している。
【００１６】
より詳細には、光源部用ハウジング３０は、図１１に示す前分割体３０Ｘと、図１２に示す中間分割体３０Ｙと、図１３に示す後分割体３０Ｚとの３つの部材で構成されている。
前分割体３０Ｘは、中間分割体３０Ｙの前部に爪３００２と溝３００４との係合などを介して結合され、後分割体３０Ｚは、中間分割体３０Ｙの後部に爪３００６と溝３００８との係合などを介して結合されている。
中間分割体３０Ｙは断面が矩形枠状に形成され、４つの側面には格子状に矩形の窓が多数形成され、光源１２０２が効率よく冷却されるように図られている。
より詳細には、光源部用ハウジング３０は、ハウジング部分３２の合わせ部３２Ａに着脱可能に結合される合わせ部３０Ａを有している。
光源部用ハウジング３０は、図８、図９に示すように、光源１２０２の光束の光軸と直交する方向において互いに対向する２組の側面３０１２を有し、また、図１２に示すように、合わせ部３２Ａに対向する中間分割体３０Ｙの箇所に背面３０１４が設けられ、背面３０１４は後分割体３０Ｚで覆われている。
【００１７】
光源部用ハウジング３０の合わせ部３０Ａは、前分割体３０Ｘの前部に設けられている。
合わせ部３０Ａは、図８、図１０、図１１に示すように、上下に長円枠状の案内壁部３４と、案内壁部３４の周囲に設けられた複数の位置決めピン３６と、複数の位置決め面３８とを備えている。
本実施の形態では、位置決めピン３６は案内壁部３４の上部の左右にそれぞれ設けられている。位置決め面３８は案内壁部３４の周囲の４箇所に設けられ、２つの位置決め面３８は位置決めピン３６の基部の外周部に設けられ、残りの２つの位置決め面３８は案内壁部３４の下部の左右にそれぞれ設けられている。
図１４に示すように、ハウジング部分３２の合わせ部３２Ａには、案内壁部３４が挿入される案内孔４０と、案内孔４０の内周部に突設され案内壁部３４に係合可能な複数の案内用突条４２と、位置決めピン３６が挿入される位置決め孔４４と、位置決め面３８に当接可能な位置決め面４６が形成されている。
また、図８、図１０に示すように、合わせ部３０Ａの下部には、光源１２０２への電源供給用のコネクタ４８が設けられ、図７に示すように、ハウジング部分３２の合わせ部３２Ａにはコネクタ４８に係脱可能なコネクタ５０が設けられている。コネクタ５０は図示しない光源用電源部に接続されている。
【００１８】
そして、図５乃至図７に示すように、光源部用ハウジング３０の合わせ部３０Ａをハウジング部分３２の合わせ部３２Ａに近づけた際にそれら合わせ部３０Ａ、３２Ａを合わせ、かつ、それら合わせ部３０Ａ、３２Ａが合わされた状態を維持するロック状態を形成するロック機構６０が設けられ、ロック状態を解除する解除用操作部６２が設けられている。
ロック機構６０は、ハウジング部分３２に設けられた係合ピン６４と、光源部用ハウジング３０に揺動可能に設けられ係合ピン６４に係合可能な係合爪６６と、図９に示すように、光源部用ハウジング３０に設けられ係合爪６６が係合ピン６４に係合した状態を維持する揺動方向に付勢するスプリング６８とで構成されている。
【００１９】
図８乃至図１０に示すように、また、図１５に示すように、係合爪６６は合わせ部３０Ａが合わされる方向に延在しその延在方向の中間の軸受け部６６０２が支軸７０により光源部用ハウジング３０（前分割体３０Ｘ）に揺動可能に支持されている。
係合爪６６は互いに対向する２つの側面３０１２にそれぞれ設けられ、係合ピン６４は、図６に示すように、係合爪６６に対応してハウジング部分３２に２つ設けられている。
係合爪６６の中間分割体３０Ｙの側方に位置する箇所には複数の窓が貫設され、光源１２０２が効率よく冷却されるように図られている。
図９に示すように、２つの係合爪６６はそれぞれ背面３００４側に延在し背面３００４上を延在する連結片６６０４で連結され、したがって、２つの係合爪６６は単一の部材として形成されている。
【００２０】
図１５に示すように、係合爪６６の延在方向の一端寄りの箇所に、光源部用ハウジング３０の合わせ部３０Ａとハウジング部分３２の合わせ部３２Ａとが合わされた状態で係合ピン６４に係合可能な係合溝７４が設けられている。
係合溝７４には、スプリング６８により付勢された係止爪６６の揺動により係合ピン６４を光源部用ハウジング３０に引き付け光源部用ハウジング３０の合わせ部３０Ａの位置決め面３８とハウジング部分３２の合わせ部３２Ａの位置決め面４６とが合わされた状態を維持する方向に付勢する傾斜縁７４０２が形成されている。
係合爪６６の延在方向の一端に、光源部用ハウジング３０の合わせ部３０Ａとハウジング部分３２の合わせ部３２Ａとが近づいた際に係合ピン６４に接触し係合ピン６４と係合溝７４とが係合される方向に揺動させる傾斜案内部６６０６が設けられている。
係合爪６６は、それらの基端に設けられたストッパ６６０８（図１５参照）が、中間分割体３０Ｙの背面３０１４の壁部３０１６（図８、図１２参照）に当接することで初期揺動位置に位置するように構成されている。
【００２１】
図９に示すように、スプリング６８は、中間分割体３０Ｙの背面３０１４の箇所と連結片６６０４とにわたり掛け渡されたねじりスプリングで構成されている。
スプリング６８は、係合ピン６４に係合溝７４が係合した状態を維持する揺動方向に係合爪６６を付勢するように設けられ、係合爪６６の初期揺動位置はこのスプリング６８とストッパ６６０８と壁部３０１６とにより形成される。
図１６に示すように、解除用操作部６２は連結片６６０４の凸片６６１２（図１５参照）に連結されるつまみで構成され、解除用操作部６２には凸片６６１２が装着される溝６２０２が形成されている。
解除用操作部６２はロック機構６０によるロック状態を解除するものであり、本実施の形態では、係合ピン６４から係合溝７４が外れる方向に係合爪６６を揺動操作するものであり、図９、図１３に示すように、後分割体３０Ｚには、この解除用操作部６２の揺動操作を許容する溝３０１０が設けられている。
本実施の形態では、解除用操作部６２は、指を掛けられるようなループ状のつまみとして構成され、ロック機構６０によるロック状態を解除したのち、コネクタ４８、５０、位置決めピン３６などを外しながら光源部１２を取り出すための作業の簡易化が図られている。なお、解除用操作部６２はＴ字型のつまみなどであってもよく、要するに指を掛けられるように構成すると、光源部１２の取り出しが簡易化され有利となる。
【００２２】
次に作用について説明する。
まず、光源部１２を本体部１４に装着する場合について図１７乃至図２０を参照して説明する。
なお、光源１２０２の交換の際には、図８乃至図１０に示す光源部１２ごと交換するものである。
図１７に示すように、光源部用ハウジング３０の合わせ部３０Ａをハウジング部分３２の合わせ部３２Ａに向け、光源部用ハウジング３０の合わせ部３０Ａをハウジング部分３２の合わせ部３２Ａに近づける。
それら合わせ部３０Ａ、３２Ａが近づくと、まず、案内壁部３４が案内用突条４２に案内され、これにより、案内壁部３４が案内孔４０に円滑に挿入される。
さらに案内壁部３４が案内孔４０に挿入されると、位置決めピン３６が位置決め孔４４に挿入され、さらに近づけることで、光源部用ハウジング３０の位置決め面３８がハウジング部分３２の位置決め面４６に合わされる。これらにより、光源部１２の光軸と照明光学部１６の光軸とが合致される。
【００２３】
一方、図１８に示すように、案内壁部３４に案内用突条４２が接触した頃から、初期揺動位置に位置する係合爪６６の傾斜案内部６６０６が係合ピン６４に係合し、合わせ部３０Ａ、３２Ａが近づくにつれ、図１９に示すように、係合爪６６はスプリング６８の弾性力に抗して、係合ピン６４に係合溝７４が係合される方向に揺動される。
そして、合わせ部３０Ａ、３２Ａがさらに近づき、位置決め面３８、４６が近接すると、係合ピン６４は係合溝７４に係合する。
より詳細には、位置決め面３８、４６が近接すると、係合溝７４を構成する傾斜縁７４０２と係合ピン６４とが係合し、スプリング６８により係止爪６６が付勢されていることから、傾斜縁７４０２により係合ピン６４を光源部用ハウジング３０に引き付け、言い換えると、光源部用ハウジング３０がハウジング部分３２に引き付けられ、図２０に示すように、光源部用ハウジング３０の合わせ部３０Ａとハウジング部分３２の合わせ部３２Ａとが合わされるとともに、合わされた状態を維持する方向に付勢される。
すなわち、光源部用ハウジング３０の合わせ部３０Ａとハウジング部分３２の合わせ部３２Ａとが位置決めされ合わされた状態に保持されたロック状態が形成される。なお、コネクタ４８，５０は位置決めピン３６が位置決め孔４４に案内される頃よりお互いに結合を開始し、上記ロック状態が形成された時点で結合を完了し、電気的に接続される。
【００２４】
次に光源部１２を本体部１４から取り外す場合について説明する。
解除用操作部６２に指を掛けて押し上げ、係合ピン６４から係合溝７４が外れる方向に係合爪６６を揺動し、解除用操作部６２を引き出すことで光源部用ハウジング３０をハウジング部分３２から引き離す。この時コネクタ４８，５０も外されている。
これにより、光源部１２の取り外しがなされる。
【００２５】
本実施の形態によれば、光源部１２を装着する際、光源部用ハウジング３０の合わせ部３０Ａをハウジング部分３２の合わせ部３２Ａに向け、光源部用ハウジング３０の合わせ部３０Ａをハウジング部分３２の合わせ部３２Ａに押し込むことで、光源部用ハウジング３０の合わせ部３０Ａとハウジング部分３２の合わせ部３２Ａとが位置決めされ合わされた状態に保持されたロック状態が自動的に形成される。
また、光源部１２を取り外す際、解除用操作部６２を押し上げ、光源部用ハウジング３０をハウジング部分３２から引き離すことで、光源部１２の取り外しが簡単になされる。
特に、本実施の形態では、解除用操作部６２は、指を掛けられるようなループ状のつまみとして構成されているので、光源部１２の取り外しがより簡単になされる。
したがって、従来のようにフレーム２００内の狭い箇所において複数のねじを弛緩緊締する操作が不要となり、光源部１２の交換が簡単になされ、プロジェクションテレビジョン装置１００の使い勝手を向上する上で有利となる。
また、従来では、ねじに緩みがある場合、光源部１２の光軸と照明光学部１６の光軸とがずれてしまう不具合があったが、本実施の形態では、係合ピン６４と係合溝７４との係合によりロック状態が形成されるため、このような不具合は解消され、したがって、スクリーンに投射される画像の品質を維持する上で有利となる。
【００２６】
なお、実施の形態では、画像形成部２０として透過型の液晶表示装置２００２を用いた場合について説明したが、画像形成部２０として反射型の液晶表示装置を用いてもよい。
また、画像形成部２０は、液晶表示装置を用いたものに限定されず、従来公知の様々な方式のものが採用可能である。
また、プロジェクタユニット１０はプロジェクションテレビジョン装置に限定されず、ビジネス用プロジェクタやホール／シアター用プロジェクタなど様々な装置に採用可能である。
また、ロック機構やロック解除部の構成として従来公知の様々な構造を採用できるが、実施の形態のように係合ピンと係合爪を用いると、構造の簡易化、コストダウンを図る上で有利となる。
【図面の簡単な説明】
【００２７】
【図１】（Ａ）は第１の実施の形態のプロジェクタユニットが搭載されたプロジェクションテレビジョン装置１００の正面図、（Ｂ）は側面図である。
【図２】プロジェクションテレビジョン装置１００の分解斜視図である。
【図３】プロジェクションテレビジョン装置１００の電装部の構成を示すブロック図である。
【図４】プロジェクタユニット１０の光学系の構成を示す説明図である。
【図５】プロジェクタユニット１０の斜視図である。
【図６】プロジェクタユニット１０の平面図である。
【図７】プロジェクタユニット１０の正面図である。
【図８】光源部１２の斜視図である。
【図９】光源部１２の斜視図である。
【図１０】光源部１２の正面図である。
【図１１】光源部１２の前分割体３０Ｘの斜視図である。
【図１２】光源部１２の中間分割体３０Ｙの斜視図である。
【図１３】光源部１２の後分割体３０Ｚの斜視図である。
【図１４】本体部１４のハウジング部分３２を示す斜視図である。
【図１５】係合爪６６の斜視図である。
【図１６】解除用操作部材６２の斜視図である。
【図１７】光源部１２を本体部１４に装着する場合の説明図である。
【図１８】光源部１２を本体部１４に装着する場合の説明図である。
【図１９】光源部１２を本体部１４に装着する場合の説明図である。
【図２０】光源部１２を本体部１４に装着する場合の説明図である。
【符号の説明】
【００２８】
１０……プロジェクタユニット、１２……光源部、２０……本体部、３０……光源部用ハウジング、３２……ハウジング部分、３０Ａ、３２Ａ……合わせ部、６０……ロック機構、６２……解除用操作部、１００……プロジェクションテレビジョン装置。
【図１】
2007003627.tif 000003
【図２】
2007003627.tif 000004
【図３】
2007003627.tif 000005
【図４】
2007003627.tif 000006
【図５】
2007003627.tif 000007
【図６】
2007003627.tif 000008
【図７】
2007003627.tif 000009
【図８】
2007003627.tif 000010
【図９】
2007003627.tif 000011
【図１０】
2007003627.tif 000012
【図１１】
2007003627.tif 000013
【図１２】
2007003627.tif 000014
【図１３】
2007003627.tif 000015
【図１４】
2007003627.tif 000016
【図１５】
2007003627.tif 000017
【図１６】
2007003627.tif 000018
【図１７】
2007003627.tif 000019
【図１８】
2007003627.tif 000020
【図１９】
2007003627.tif 000021
【図２０】
2007003627.tif 000022